(57)【特許請求の範囲】
【請求項１】
撮影レンズの振動の状態を検出し、検出された撮影レンズの振動の状態を示す値であるアナログ検出信号を出力する検出信号出力部と、前記検出信号出力部のアナログ検出信号のシフト量を出力するシフト制御部と、前記シフト制御部の出力信号と前記検出信号出力部のアナログ検出信号の差分を出力するアンプと、前記アンプから出力されたアナログ検出信号をデジタルデータに変換し検出データとして出力する変換部と、前記変換部の出力した検出データに前記シフト量を加算する加算器と、前記シフト量の加算された検出データに応じ、撮影レンズを介して受光した被写体像の振れを光学的に軽減する振れ補正部と、前記振れ補正部の位置を検出し、検出された位置を示す位置検出信号を出力する位置検出部と、前記位置検出部の感度を設定する感度設定部とを備えた撮影装置であって、
前記感度設定部は、前記撮影レンズを広角側に移動させる旨の操作信号が出力され前記撮影レンズがワイド端に到達したことに応じ、前記感度を高感度側に設定し、
前記シフト制御部は、前記撮影レンズを広角側に移動させる旨の操作信号が出力され前記撮影レンズがワイド端に到達したことに応じ、前記シフト量を出力する撮影装置。
【発明の詳細な説明】
【技術分野】
【０００１】
本発明は、手振れなどによる振動を検出する装置を用いた撮影装置に関する。
【背景技術】
【０００２】
特許文献１では、撮影装置が正立姿勢以外の姿勢にあるときには、ゲインが上げられる。
【０００３】
特許文献２では、パンニング動作終了が検知されたことにより、振れ信号のゲインを変更する。
【０００４】
特許文献３では、レリーズボタン等の操作部材の操作開始時点などから衝撃振動の発生から予期される際には、振動検出手段の時定数を変更する。
【特許文献１】特開２００７−５７９９８号公報
【特許文献２】特開平１０−２１３８３２号公報
【特許文献３】特開平６−２３０４４７号公報
【発明の開示】
【発明が解決しようとする課題】
【０００５】
防振レンズなどの手振れ補正部の位置検出を行うホールセンサなどの位置検出部から出力されたアナログ検出信号をデジタルデータに変換するＡＤ変換器の分解能が低いと、微小な位置変動を検知することができず、適切な振れ補正を行えない。したがって、これに対処するためには、位置検出部の出力ゲインの上げ感度をアップすることが考えられる。
【０００６】
しかし、無制限に位置検出部の出力ゲインを上げた場合、ハンチングが生じるという問題がある。
【０００７】
本発明は、適切な時期に位置検出部の検出感度をアップし、精度のよい振れ補正をすることを目的とする。
【課題を解決するための手段】
【０００８】
本発明は、撮影レンズの振動の状態を検出し、検出された撮影レンズの振動の状態を示す値であるアナログ検出信号を出力する検出信号出力部と、検出信号出力部から出力されたアナログ検出信号をデジタルデータに変換し検出データとして出力する変換部と、変換部からの検出データに応じ、撮影レンズを介して受光した被写体像の振れを光学的に軽減する振れ補正部と、振れ補正部の位置を検出し、検出された位置を示す位置検出信号を出力する位置検出部と、位置検出部の感度を設定する感度設定部と、を備えた撮影装置であって、感度設定部は、操作部から出力された操作信号に応じ、感度を高感度側または低感度側に設定する。
【０００９】
この発明によると、操作部から出力された操作信号に応じ、位置検出部の感度を高感度側または低感度側に設定するので、撮影装置がほぼ静止した状態での微小な振れが問題となるときに位置検出部の検出感度をアップし、精度のよい振れ補正をすることができる。
【００１０】
感度設定部は、操作部から光学式像振れ補正部の動作を停止または開始する旨の操作信号が出力されたことに応じ、感度を高感度側または低感度側に設定するとよい。
【００１１】
感度設定部は、操作部から撮影装置を三脚に固定した旨の操作信号が出力されたことに応じ、感度を高感度側に設定するとよい。
【００１２】
感度設定部は、撮影レンズを広角側に移動させる旨の操作信号が出力され撮影レンズがワイド端に到達したことに応じ、感度を高感度側に設定するとよい。
【００１３】
撮影レンズを介して受光した被写体像に合焦させる旨の操作信号が出力されたことに応じ、被写体像に基づいて撮影レンズの合焦位置を決定する合焦位置決定部をさらに備え、感度設定部は、合焦決定部が合焦位置を決定したことに応じ、感度を高感度側に設定するとよい。
【００１４】
複数回の撮影を連続的に実行する撮影制御部をさらに備え、感度設定部は、操作部から撮影制御部に対し複数回の撮影を連続的に実行する旨の操作信号が出力されたことに応じ、感度を高感度側に設定するとよい。
【００１５】
感度設定部は、操作部から撮影レンズに含まれるズームレンズを駆動する旨の操作信号が出力されたことに応じ、感度を低感度側に設定するとよい。
【００１６】
感度設定部は、操作部から動画の撮影を行う旨の操作信号が出力されたことに応じ、感度を低感度側に設定するとよい。
【００１７】
感度設定部は、操作部からパンニングを行う旨の操作信号が出力されたことに応じ、感度を低感度側に設定するとよい。
【００１８】
感度設定部は、合焦決定部が合焦位置を決定するまで、感度を低感度側に設定するとよい。
【００１９】
出力された検出信号の示す値の近傍に変換部のデータ変換可能範囲が設定されるよう検出信号出力部の検出信号にオフセット信号を重畳するオフセット重畳部と、検出データから重畳したオフセット信号に相当する値を除去するオフセット除去部と、をさらに備えてもよい。
【００２０】
オフセット重畳部は、出力された位置検出信号の示す値が変換部のデータ変換可能範囲の中心値となるようにオフセット信号を重畳するとよい。
【発明の効果】
【００２１】
この発明によると、操作部から出力された操作信号に応じ、位置検出部の感度を高感度側または低感度側に設定するので、撮影装置がほぼ静止した状態での微小な振れが問題となるときに位置検出部の検出感度をアップし、精度のよい振れ補正をすることができる。
【発明を実施するための最良の形態】
【００２２】
以下、添付図面に従って本発明を実施するための最良の形態について説明する。
【００２３】
＜撮像部＞
図１は、本発明が適用されたデジタルカメラ１の電気的構成を示すブロック図である。
【００２４】
同図に示すように、本実施の形態のデジタルカメラ１は、ＣＰＵ１１１、操作部１１２、ズームレンズ用モータドライバ１１４、ズームレンズ１０、フォーカスレンズ用モータドライバ１１５、フォーカスレンズ１１、手ぶれ補正制御部１１７、手ぶれ補正部１１８、タイミングジェネレータ１１９、ＣＣＤドライバ１２０、ＣＣＤ１３、アナログ信号処理部１２２、Ａ／Ｄ変換器１２３、画像入力コントローラ１２４、画像信号処理回路１２５、圧縮処理回路１２６、ビデオエンコーダ１２７、画像表示装置１２８、バス１２９、メディアコントローラ１３０、記録メディア１３１、メモリ（ＳＤＲＡＭ）１３２、ＡＦ検出回路１３３、ＡＥ検出回路１３４等を備えて構成される。
【００２５】
各部はＣＰＵ１１１に制御されて動作し、ＣＰＵ１１１は、操作部１１２からの入力に基づき所定の制御プログラムを実行することにより、デジタルカメラ１の各部を制御する。
【００２６】
ＣＰＵ１１１はプログラムＲＯＭを内蔵しており、このプログラムＲＯＭにはＣＰＵ１１１が実行する制御プログラムのほか、制御に必要な各種データ等が記録されている。ＣＰＵ１１１は、このプログラムＲＯＭに記録された制御プログラムをメモリ１３２に読み出し、逐次実行することにより、デジタルカメラ１の各部を制御する。
【００２７】
なお、このメモリ１３２は、プログラムの実行処理領域として利用されるほか、画像データ等の一時記憶領域、各種作業領域として利用される。
【００２８】
操作部１１２は、レリーズボタン１１３の他、電源スイッチや撮影モードダイヤル、手ぶれ補正スイッチ等のカメラの一般的な操作手段を含み、操作に応じた信号をＣＰＵ１１１に出力する。レリーズボタン１１３は、半押し時にＯＮしてフォーカスロック、測光等の撮影準備を行わせるスイッチＳ１と、全押し時にＯＮして画像の取り込みを行わせるスイッチＳ２とを有している。
【００２９】
フォーカスレンズ１１は、フォーカス用モータドライバ１１５に駆動されて、ズームレンズ１０の光軸上を前後移動する。ＣＰＵ１１１は、フォーカス用モータドライバ１１５を介してフォーカスレンズ１１の移動を制御し、フォーカシングを行う。
【００３０】
ズームレンズ１０は、ズームレンズ用モータドライバ１１４に駆動されて、フォーカスレンズ１１の光軸上を前後移動する。ＣＰＵ１１１は、ズームレンズ用モータドライバ１１４を介してズームレンズ１０の移動を制御し、ズーミングを行う。
【００３１】
手ぶれ補正部１１８は、補正レンズ１２を含み、手ぶれ補正制御部１１７により制御され、ズームレンズ１０、及びフォーカスレンズ１１を介した被写体像の手ぶれを補正する。手ぶれ補正制御部１１７及び手ぶれ補正部１１８の詳細については、後述する。
【００３２】
ＣＣＤ１３は、手ぶれ補正部１１８の後段に配置されており、補正レンズ１２を透過した被写体光を受光する。ＣＣＤ１３は、周知のように多数の受光素子がマトリクス状に配列された受光面を備えている。補正レンズ１２を透過した被写体光は、このＣＣＤ１３の受光面上に結像され、各受光素子によって電気信号に変換される。
【００３３】
このＣＣＤ１３は、タイミングジェネレータ１１９からＣＣＤドライバ１２０を介して供給される垂直転送クロック及び水平転送クロックに同期して、各画素に蓄積された電荷を１ラインずつシリアルな画像信号として出力する。ＣＰＵ１１１は、タイミングジェネレータ１１９を制御して、ＣＣＤ１３の駆動を制御する。
【００３４】
なお、各画素の電荷蓄積時間（露出時間）は、タイミングジェネレータ１１９から与えられる電子シャッタ駆動信号によって決められる。ＣＰＵ１１１は、タイミングジェネレータ１１９に対して電荷蓄積時間を指示する。
【００３５】
また、画像信号の出力は、デジタルカメラ１が撮影モードにセットされると開始される。すなわち、デジタルカメラ１が撮影モードにセットされると、画像表示装置１２８にスルー画像を表示するため、画像信号の出力が開始される。このスルー画像用の画像信号の出力は、本撮影の指示が行われると、一旦停止され、本撮影が終了すると、再度開始される。
【００３６】
ＣＣＤ１３から出力される画像信号は、アナログ信号であり、このアナログの画像信号は、アナログ信号処理部１２２に取り込まれる。
【００３７】
アナログ信号処理部１２２は、相関二重サンプリング回路（ＣＤＳ）、及び自動ゲインコントロール回路（ＡＧＣ）を含んで構成される。ＣＤＳは、画像信号に含まれるノイズの除去を行い、ＡＧＣは、ノイズ除去された画像信号を所定のゲインで増幅する。このアナログ信号処理部１２２で所要の信号処理が施されたアナログの画像信号は、Ａ／Ｄ変換器１２３に取り込まれる。
【００３８】
Ａ／Ｄ変換器１２３は、取り込んだアナログの画像信号を所定ビットの階調幅を持ったデジタルの画像信号に変換する。この画像信号は、いわゆるＲＡＷデータであり、画素ごとＲ、Ｇ、Ｂの濃度を示す階調値を有している。
【００３９】
画像入力コントローラ１２４は、所定容量のラインバッファを内蔵しており、Ａ／Ｄ変換器１２３から出力された１コマ分の画像信号を蓄積する。この画像入力コントローラ１２４に蓄積された１コマ分の画像信号は、バス１２９を介してメモリ１３２に格納される。
【００４０】
バス１２９には、上記ＣＰＵ１１１、メモリ１３２、画像入力コントローラ１２４のほか、画像信号処理回路１２５、圧縮処理回路１２６、ビデオエンコーダ１２７、メディアコントローラ１３０、ＡＦ検出回路１３３、ＡＥ検出回路１３４等が接続されており、これらはバス１２９を介して互いに情報を送受信できるようにされている。
【００４１】
メモリ１３２に格納された１コマ分の画像信号は、点順次（画素の順番）に画像信号処理回路１２５に取り込まれる。
【００４２】
画像信号処理回路１２５は、点順次に取り込んだＲ、Ｇ、Ｂの各色の画像信号に対して所定の信号処理を施し、輝度信号Ｙと色差信号Ｃｒ、Ｃｂとからなる画像信号（Ｙ／Ｃ信号）を生成する。
【００４３】
ＡＦ検出回路１３３は、ＣＰＵ１１１の指令に従い、画像入力コントローラ１２４を介してメモリ１３２に格納されたＲ、Ｇ、Ｂの画像信号を取り込み、ＡＦ（Automatic Focus）制御に必要な焦点評価値を算出する。このＡＦ検出回路１３３は、Ｇ信号の高周波成分のみを通過させるハイパスフィルタ、絶対値化処理部、画面に設定された所定のフォーカス領域内の信号を切り出すフォーカス領域抽出部、及び、フォーカス領域内の絶対値データを積算する積算部を含み、この積算部で積算されたフォーカス領域内の絶対値データを焦点評価値としてＣＰＵ１１１に出力する。ＣＰＵ１１１は、ＡＦ制御時、このＡＦ検出回路１３３から出力される焦点評価値が極大となる位置をサーチし、その位置にフォーカスレンズ１１を移動させることにより、主要被写体への焦点合わせを行う。
【００４４】
ＡＥ検出回路１３４は、ＣＰＵ１１１の指令に従い、画像入力コントローラ１２４を介してメモリ１３２に格納されたＲ、Ｇ、Ｂの画像信号を取り込み、ＡＥ制御に必要な積算値を算出する。ＣＰＵ１１１は、積算値から輝度値を算出し、輝度値から露出値を求める。また露出値から所定のプログラム線図に従って、絞り値及びシャッタスピードを決定する。このとき、必要であれば、撮影補助光としてストロボ１３６を用いる決定をする。
【００４５】
圧縮処理回路１２６は、ＣＰＵ１１１からの圧縮指令に従い、入力された輝度信号Ｙと色差信号Ｃｒ、Ｃｂとからなる画像信号（Ｙ／Ｃ信号）に所定形式（たとえば、ＪＰＥＧ）の圧縮処理を施し、圧縮画像データを生成する。また、ＣＰＵ１１１からの伸張指令に従い、入力された圧縮画像データに所定形式の伸張処理を施して、非圧縮の画像データを生成する。
【００４６】
ビデオエンコーダ１２７は、ＣＰＵ１１１からの指令に従い、画像表示装置１２８への表示を制御する。
【００４７】
メディアコントローラ１３０は、ＣＰＵ１１１からの指令に従い、記録メディア１３１に対してデータの読み／書きを制御する。なお、記録メディア１３１は、メモリカードのようにカメラ本体に対して着脱自在なものでもよいし、また、カメラ本体に内蔵されたものでもよい。着脱自在とする場合は、カメラ本体にカードスロットを設け、このカードスロットに装填して使用する。
【００４８】
＜手ぶれ補正のレンズ移動機構＞
次に、手ぶれ補正制御部１１７及び手ぶれ補正部１１８について説明する。
【００４９】
デジタルカメラ１は、操作部１１２によって、手ぶれＯＮモードと手ぶれＯＦＦモードとをユーザが切り替えることが可能である。手ぶれＯＮモードでは、手ぶれがキャンセルされるように、補正レンズ１２を移動制御する。手ぶれＯＦＦモードでは、補正レンズ１２を停止するように制御する。
【００５０】
図２は、デジタルカメラ１の光学系を示した図である。デジタルカメラ１の光学系は、ズームレンズ１０、フォーカスレンズ１１、補正レンズ１２から構成されている。この光学系の光軸１４上にＣＣＤ１３が配置されており、このＣＣＤ１３は、前述したように、被写体の画像を電気信号に変換する。
【００５１】
手ぶれが発生すると、１フレーム内で被写体の画像がＣＣＤ１３上で動くために、ＣＣＤ１３からは、ぼけた画像の電気信号が発生する。この手ぶれの発生を検出するために、カメラボディ又はレンズアセンブリ内に、Ｘ方向ジャイロセンサ５０（図６参照）及びＹ方向ジャイロセンサ（図示せず）が設けられている。これらのジャイロセンサは、角速度を表す信号を出力する。また、角加速度を表す信号を出力するジャイロセンサを用いてもよい。
【００５２】
手ぶれが発生していないときは、補正レンズ１２の光軸が、光学系の光軸１４に一致している。Ｘジャイロセンサ５０及び／又はＹジャイロセンサにより手ぶれが検出されると、補正レンズ１２は、手ぶれの大きさと方向に応じて、Ｘ方向及び／又はＹ方向に移動する。これにより、ＣＣＤ１３上に形成される画像がほぼ停止した状態となり、シャープな画像を表す信号がＣＣＤ１３から出力される。
【００５３】
次に、手ぶれ補正制御部１１７及び手ぶれ補正部１１８のレンズ移動機構について説明する。図３は、レンズ移動機構を示す分解斜視図であり、図４は、カバーが取り外されている状態のレンズ移動機構の正面図である。また、図５は、レンズ移動機構の一部を示す断面図である。
【００５４】
図３及び図４において、レンズ鏡筒１５には、ズームレンズ１０及びフォーカスレンズ１１が取り付けられている。このレンズ鏡筒１５は、レンズアセンブリに固定されている。また、レンズ鏡筒１５には、Ｘ方向に延びたメインガイド軸１６と、Ｙ方向に延びたメインガイド軸１７とが設けられており、また、Ｘ方向に移動可能なＸスライダ１８と、Ｙ方向に移動可能なＹスライダ１９とが収納されている。Ｘスライダ１８及びＹスライダ１９は、平面から見た形がほぼＬ字形をしている。
【００５５】
Ｘスライダ１８には、一対の軸孔１８ａが形成されており、これらの軸孔１８ａがメインガイド軸１６にスライダブリに嵌まっている。同様に、Ｙスライダ１９の一対の軸孔１９ａは、メインガイド軸１７にスライダブリに嵌まっている。
【００５６】
また、Ｘスライダ１８には、一対の軸孔１８ｂが形成されている。この軸孔１８ｂは、Ｙ方向の延びたサブガイド軸２０にスライダブリに嵌まっている。Ｙスライダ１９の一対の軸孔１９ｂは、Ｘ方向の延びたサブガイド軸２１にスライダブリに嵌まっている。
【００５７】
Ｘスライダ１８には、偏平なリング状のコイル２２が取り付けられている。同様に、Ｙスライダ１９にもコイル２３が取り付けられている。コイル２２との間にＸ方向の電磁力を発生するために、永久磁石２６を内側に取り付けたヨーク２５がレンズ鏡筒１５に取り付けられている。なお、コイル２３と間にＹ方向の電磁力を発生するためのヨーク及び永久磁石は、図では省略してある。
【００５８】
レンズホルダ３０は、補正レンズ１２を保持している。このレンズホルダ３０には、一対の穴３０ａが形成されており、これらにＸ方向の延びたサブガイド軸２１の両端が嵌合され、そしてサブガイド軸２１が動かないように接着剤などで固定されている。同様に、一対の穴３０ｂにサブガイド軸２０がしっかりと保持されている。
【００５９】
スライダ１８、１９を隠すように、レンズホルダ３０にカバー３２が配置されている。このカバー３２は、レンズ鏡筒１５のステップ１５ａに載せられている。カバー３２の内面には、２個の永久磁石３３、３４が取り付けられている。永久磁石３３はヨーク２５に対面し、永久磁石３４は別のヨーク（図示せず）に対面する。
【００６０】
図５に示すように、コイル２２の両側には、永久磁石２６、３３が位置しており、また、ヨーク２５の折り曲片２５ａがコイル２２内に入り込んでいる。コイル２２を通電すると、コイル２２に発生した磁界と、永久磁石２６、３３の磁界により電磁力が発生する。この電磁力は、コイル２２の電流の向きに応じて、＋Ｘ方向又は−Ｘ方向に作用し、Ｘスライダ１８を＋Ｘ方向又は−Ｘ方向に移動する。同様に、コイル２３に通電すると、コイル２３に発生した磁界と、図示しない永久磁石及び永久磁石３４の磁界から発生した電磁力により、Ｙスライダ１９を＋Ｙ方向又は−Ｙ方向に移動する。
【００６１】
また、レンズ鏡筒１５の穴１５ｂ、１５ｃには、Ｘホール素子４０、Ｙホール素子４１が収納されている。Ｘホール素子４０は、Ｘスライダ１８の下面に埋め込まれた小さな磁石４２の磁界に応答して電圧を発生する。この電圧は、Ｘスライダ１８のＸ方向での位置に対応している。また、Ｙホール素子４１も、Ｙスライダ１９の下面に埋め込まれた磁石４３の磁界に応答して電圧を発生し、この電圧はＹスライダ１９のＹ方向での位置に対応している。各ホール素子４０、４１は、補正レンズ１２の位置に応じて、例えば０〜５Ｖの電圧範囲の信号を発生する。各ホール素子４０、４１の出力信号が２．５Ｖ（基準電圧）のときには、Ｘスライダ１８はＸ基準位置に位置し、Ｙスライダ１９がＹ基準位置に位置している。この状態では、補正レンズ１２の光軸が光学系の光軸１４に一致している。
【００６２】
次に、手ぶれ補正制御部１１７及び手ぶれ補正部１１８のレンズ移動機構の作用について説明する。撮影準備のためにデジタルカメラの電源をＯＮにすると、制御回路（図６参照）は、基準電圧（２．５Ｖ）を目標レンズ位置信号とする。そして、制御回路は、各ホール素子４０、４１の出力信号が目標レンズ位置信号である基準電圧に到達するように、コイル２２、２３に供給する電流の向き及び大きさをフィードバック制御する。このフィードバック制御により、Ｘスライダ１８はＸ基準位置に向けて移動され、Ｙスライダ１９はＹ基準位置に向けて移動される。スライダ１８、１９が基準位置にセットされると、補正レンズ１２の光軸が光学系の光軸１４に一致する。手ぶれＯＦＦモードでは、手ぶれがあっても、目標レンズ位置信号は基準電圧に保たれる。これにより、レンズホルダ３０は手ぶれがあっても、停止したままとなる。
【００６３】
手ぶれＯＮモードでは、手ぶれに応じて補正レンズ１２がレンズホルダ３０とともに移動する。Ｘ方向の手ぶれはＸジャイロセンサ５０で検知され、またＹ方向の手ぶれはＹジャイロセンサで検知される。手ぶれが発生すると、各ジャイロセンサは角速度信号を発生する。各ジャイロセンサの角速度信号は個別に積分され、Ｘ方向とＹ方向の角度信号にそれぞれ変換される。この角度信号は、補正レンズ１２の直線移動に相当したレンズ変位量信号に変換される。得られたレンズ変位量信号は、基準電圧（２．５Ｖ）に加算されて、目標レンズ位置信号となる。ここで、レンズ変位量信号は、手ぶれの方向に応じて正負の符号を有するため、目標レンズ位置信号は、基準電圧（２．５Ｖ）を中心にして変化する。
【００６４】
例えば、＋Ｘ方向に手ぶれが発生すると、マイナスのレンズ変位量信号が基準電圧に加算されて、目標レンズ位置信号が算出される。次に、Ｘホール素子４０の出力信号が目標レンズ位置信号となるように、コイル２２の電流の向き及び大きさが決められる。このコイル２２の通電により発生した磁界と、永久磁石２６、３３の磁界とにより、−Ｘ方向の電磁力がコイル２２に作用する。この電磁力により、Ｘスライダ１８は、メインガイド軸１６に沿って−Ｘ方向に移動する。また、Ｘスライダ１８はサブガイド軸２０を介してレンズホルダ３０に連結されているため、Ｘスライダ１８は、レンズホルダ３０を−Ｘ方向に押す。
【００６５】
ここで、レンズホルダ３０に固定されたサブガイド軸２１は、Ｙスライダ１９の軸孔１９ｂにガイドされる。これにより、Ｘスライダ１８とレンズホルダ３０は、メインガイド軸１６及びＹスライダ１９の一対の軸孔１９ａにガイドされながら一緒に移動する。
【００６６】
Ｘスライダ１８が、目標レンズ位置信号に対応したレンズ位置まで移動すると、Ｘホール素子４０の出力信号が目標レンズ位置信号に一致する。これにより、レンズホルダ３０が、手ぶれのストロークに対応した距離を一Ｘ方向に移動するので、ＣＣＤ１３上に形成される画像は殆ど移動しない。したがって、ＣＣＤ１３からは、鮮明な画像の電気信号が発生する。
【００６７】
手ぶれが停止すると、レンズ変位量信号が０になるから、目標レンズ位置信号は基準電圧（２．５Ｖ）となる。Ｘホール素子４０の出力信号が基準電圧に戻るように、コイル２２の電流の向き及び大きさが決定される。これにより、Ｘスライダ１８がＸ基準位置に向けて徐々に移動する。Ｘスライダ１８がＸ基準位置に戻った後は、このＸ基準位置に維持されるように、コイル２２の電流の向きと大きさが制御される。レンズホルダ３０は、Ｘスライダ１８と一緒に戻るから、補正レンズ１２の光軸が光学系の光軸１４に一致した状態となる。
【００６８】
−Ｘ方向の手ぶれが発生すると、手ぶれの大きさに応じた値を持ったプラスのレンズ変位量信号が基準電圧に加算され、目標レンズ位置信号が算出される。Ｘホール素子４０の出力信号が目標レンズ位置信号になるように、コイル２２の電流の向き及び大きさが決められる。このコイル２２の通電により、Ｘスライダ１８は、メインガイド軸１６に沿って＋Ｘ方向に移動する。−Ｘ方向の手ぶれがなくなると、Ｘスライダ１８はＸ基準位置に徐々に戻し、そしてＸスライダ１８をＸ基準位置に維持する。このときには、補正レンズ１２の光軸は光学系の光軸１４に一致している。
【００６９】
Ｙ方向の手ぶれに対しても同様である。このＹ方向の手ぶれに対しては、コイル２３によってＹスライダ１９をＹ方向に移動する。このときにサブガイド軸２１を介してレンズホルダ３０がＹ方向に押される。Ｙスライダ１９は、メインガイド軸１７にガイドされ、レンズホルダ３０のサブガイド軸２０は、Ｘスライダ１８の軸孔１８ｂにガイドされる。レンズホルダ３０が、Ｙスライダ１９と一緒にＹ方向に移動すると、Ｙ方向の手ぶれによる画像の移動が防止され、ＣＣＤ１３上に形成される画像はほぼ停止する。Ｙ方向の手ぶれがなくなると、Ｙスライダ１９は、Ｙ基準位置に徐々に戻される。
【００７０】
実際の手ぶれは、Ｘ方向とＹ方向の両方で発生するため、レンズホルダ３０がＸ方向とＹ方向の両方へ同時に移動する。
【００７１】
＜手ぶれ補正のレンズ移動制御回路＞
次に、手ぶれ補正制御部１１７及び手ぶれ補正部１１８の制御回路について説明する。制御回路は、Ｘ方向と、Ｙ方向の２つが設けられている。図６は、手ぶれ補正制御部１１７及び手ぶれ補正部１１８の、Ｘ方向の手ぶれを抑制するための制御回路の構成を示すブロック図である。Ｘジャイロセンサ５０は、Ｘ方向の手ぶれが発生すると、角速度信号を発生する。この角速度信号は、ハイパスフィルタ５１に送られ、高周波の角速度信号が抽出された後、アンプ５２において増幅される。これにより、デジタルカメラ１がゆっくり動かされたときに発生する角速度信号は除去され、デジタルカメラ１が急激に動かされたときに発生する角速度信号だけが増幅されてから、ＣＰＵ８０に送られる。
【００７２】
ＣＰＵ８０はＡ／Ｄ変換器５３を備え、アンプ５２からのアナログの角速度信号をデジタルの角速度信号に変換する。このＡ／Ｄ変換器５３は、１６ｋＨｚのサンプリングパルスによって、アナログの角速度信号をサンプリングして、１０ビットのデジタルの角速度信号に変換する。この１０ビットの角速度信号は、平均回路５４に送られ、ここで１６個の角速度信号の平均値が算出される。これにより、１ｍｓ毎に１個の角速度信号が得られる。これは、角速度信号の転送速度が１ｋＨｚであることを表している。
【００７３】
平均化された角速度信号は、減算器５５と長時間積分器５６に送られる。長時間積分器５６は、角速度信号を循環積分することで、角速度信号のドリフト成分を算出する。循環積分は、具体的には、現在の信号と、１つ前の信号との差（正負がある）を求め、これを積算するものである。得られたドリフト成分は、減算器５５に送られ、入力中の角速度信号から減算される。
【００７４】
ドリフト補正された角速度信号は、コアリング回路５７に入力される。このコアリング回路５７は、減算器５５から出力された角速度がスレシュホードレベル以下のときに、０に変換する。これにより、微細な手ぶれに対しては抑制動作をしないので、補正レンズ１２のふらつきを防止することができる。
【００７５】
コアリング処理された角速度信号は、積分回路６０に送られる。この積分回路６０は、まず入力角速度信号Ａ１を積分して角度信号Ａｎ＋１に変換する。この積分には次式が使われる。
【００７６】
［数１］
Ａｎ＋１＝（Ａ１−Ａｎ）×α＋Ａｎ
ここで、αは係数であり、Ａｎはレジスタから読み出した前回の積分値である。
【００７７】
上記積分により、手ぶれによって発生した光学系の傾き角度が算出される。得られた角度信号Ａｎ＋１は、リミッタに送られる。このリミッタは、傾き角度がリミット角度（例えば２度）を越えた場合には、越えた部分がカットされる。したがって、角度信号Ａｎ＋１の最大値は、リミット角度である。なお、リミット角度は、光学系の焦点距離に関係なく、一定の値である。このリミット処理された角度信号Ａｎ＋１は、積分回路６０の出力信号として位相補償器６１に送られる。これとともに、角度信号Ａｎ＋１がレジスタに格納され、次の積分演算において積分値Ａｎとして用いられる。
【００７８】
位相補償器６１は、角度信号の位相調整をする。位相補償器６１に入力された角速度信号は、デジタルカメラ１の振れに対するＸジャイロセンサ５０からの信号出力までの時間や、積分回路６０での積分処理時間の位相遅れが発生しており、位相補償器６１は、これらの時間を加算した位相遅れを補償する。
【００７９】
位相補償処理された角度信号は乗算器６３に入力される。この乗算器６３は、メモリ６４から読み出したメカ係数γと角度信号を乗算して、レンズの変位量を算出する。メカ係数γは、光学系の焦点距離に応じた値となっており、焦点距離が大きいほどメカ係数γの値が大きい。実際には、メカ係数γは、焦点距離の外に、コイル２２、２３の変換効率などを考慮して決められている。各焦点距離におけるメカ係数γとしては、例えば図７に示す数値が用いられる。このメカ係数γにより、同じ手ぶれであっても、焦点距離が長いときは、焦点距離が短いときに比べて、補正レンズ１２の移動量が大きくなる。
【００８０】
乗算器６３から出力されたレンズ変位量信号は、加算器６５で基準電圧（２．５Ｖ）に加算され、目標レンズ位置信号が算出される。前述したように、この目標レンズ位置信号は、光学系のぶれ角度の大きさと方向に応じて、基準電圧を中心にして変化した値となっている。この目標レンズ位置信号は、乗算器６６において、感度制御部７４の出力と乗算され、ＣＰＵ８０の出力信号として減算器７０に送られる。
【００８１】
感度制御部７４は、ホール素子４０の感度を定電流回路７１を介して制御する。定電流回路７１は、感度制御部７４の出力に応じてＸホール素子４０に定電流を供給する。このＸホール素子４０は、磁石４２の磁界に応答して、Ｘスライダ１８の位置を検出する。また、アンプ７６は、Ｘホール素子４０の出力信号と、シフト制御部７５の出力値をＤ／Ａ変換器７７でアナログ信号に変換した値との差分を出力する。アンプ７６の出力信号は、Ａ／Ｄ変換器７３でデジタル信号に変換され、加算器７８に入力される。加算器７８は、Ａ／Ｄ変換器７３の出力値とシフト制御部７５の出力値を加算する。このように、Ｘホール素子４０の出力値をシフト制御部７５の出力値との差分を取って、さらにシフト制御部７５の出力値を加算することにより、Ａ／Ｄ変換器７３を有効に使用することができる。このＡ／Ｄ変換器７３のシフト制御についての詳細は、後述する。
【００８２】
加算器７８の出力値は減算器７０に入力され、減算器７０は、乗算器６６及び加算器７８から入力された２つの信号の差に応じた信号をドライバ７２に送る。ドライバ７２は、減算器７０の出力信号の大きさに応じた値で、出力信号の符号に応じた向きの電流をコイル２２に流して、補正レンズ１２を＋Ｘ方向又は−Ｘ方向に移動させる。
【００８３】
なお、コアリング回路５７のスレッシュホールドレベル、積分回路６０の係数α及びリミッタ値、メモリ６４のメカ係数γ、加算器６５の基準電圧などは、ＣＰＵ１１１によって設定される。
【００８４】
次に、手ぶれ補正制御部１１７及び手ぶれ補正部１１８の制御回路の作用について説明する。Ｘジャイロセンサ５０は、例えば＋Ｘ方向に手ぶれが起こると、符号がマイナスで、角速度の大きさに応じた値の角速度信号を発生する。また、手ぶれが収まるときには、プラスの符号で、収束の角速度に大きさに応じた値の角速度信号が発生する。この角速度信号は、ハイパスフィルタ５１で所定周波数以上のものが抽出され、かつアンプ５２で増幅されてから、ＣＰＵ８０に送られる。
【００８５】
ＣＰＵ８０のＡ／Ｄ変換器５３は角速度信号をデジタル信号に変換し、平均回路５４が１６個の角速度信号の平均値を算出する。平均化された角速度信号は、減算器５５でドリフト成分が除去される。
【００８６】
コアリング回路５７は、角速度信号が所定値以下のときに、角速度信号を０に置き換える。コアリング処理がされた角速度信号は、積分回路６０で積分されて角度信号に変換され、所定値以上の角度信号はリミット値に置き換えられる。角度信号は、手ぶれの発生時には値が０から増加し、手ぶれが収束するときには値が０に向かって減少する。したがって、手ぶれがないときには、角度信号は０である。また、角度信号には、手ぶれの向きに応じてプラス又はマイナスの符号を持っている。
【００８７】
リミット処理された角度信号は、位相補償器６１に送られ、位相補償処理が施される。位相補償処理された角度信号は、乗算器６３でメカ係数が乗算され、レンズ変位量信号に変換される。加算器６５は、レンズ変位量信号に基準電圧を加算して、目標レンズ位置信号に変換する。この目標レンズ位置信号は、感度制御部７４で決定された増幅率に乗算器６６で乗算されてから、減算器７０に入力される。
【００８８】
減算器７０は、Ｘホール素子４０の出力信号と、目標レンズ位置信号との差分を算出し、ドライバ７２を介してコイル２２に流す電流の向きと大きさとを制御する。
【００８９】
前述したように、ＣＰＵ８０は、手ぶれが発生していないときは、目標レンズ位置信号として基準電圧（２．５Ｖ）を出力し、手ぶれが発生しているときは、レンズ変位量に応じた電圧だけ、基準電圧よりも大きい又は小さい電圧を目標レンズ位置信号として出力する。ドライバ７２は、Ｘホール素子４０の出力信号が目標レンズ位置信号と一致するように、コイル２２に流す電流の向き及び大きさを制御する。これにより、Ｘスライダ１８を介して補正レンズ１２が移動して、手ぶれを抑制する。また、手ぶれが収まると、目標レンズ位置信号は基準電圧となるので、Ｘスライダ１８は基準位置に戻る。
【００９０】
＜第１の実施の形態＞
次に、第１の実施の形態のデジタルカメラ１の、Ａ／Ｄ変換器７３のシフト制御について説明する。図８は、Ｘホール素子４０の出力範囲、Ａ／Ｄ変換器７３の入力であるアンプ７６の出力範囲、及びＡ／Ｄ変換器７３のＡ／Ｄ変換可能範囲を示した図である。
【００９１】
感度制御部７４で設定した感度をＡとしたときの、ホール素子４０の出力範囲、アンプ７６の出力範囲を図８（ａ）に示す。このアンプ７６の出力値の最小値から最大値の範囲は、補正レンズ１２が機構的に移動可能な範囲で端から端まで移動したときの出力値を示している。即ち、Ｘスライダ１８が−Ｘ方向の端に移動したときにホール素子４０及びアンプ７６は−３Ｖを出力し、Ｘスライダ１８が＋Ｘ方向の端に移動したときにホール素子４０及びアンプ７６は３Ｖを出力する。また、Ａ／Ｄ変換器７３は、−３Ｖから３Ｖの範囲のアナログ入力信号をデジタル信号に変換可能である。したがって、アンプ７６の出力値の全範囲をカバーしており、補正レンズ１２がどの位置に移動してもアンプ７６の出力信号であるアナログ信号をデジタル信号に変換することが可能である。
【００９２】
次に、感度制御部７４で設定した感度を２×Ａとしたときの、ホール素子４０の出力範囲、及びアンプ７６の出力範囲を図８（ｂ）に示す。感度制御部７４が感度を２×Ａに設定すると、定電流回路７１は、Ｘホール素子４０に供給する定電流を感度がＡのときの２倍に制御する。供給される定電流が２倍になると、Ｘホール素子の出力値も２倍になる。したがって、Ｘホール素子４０の出力範囲は、感度がＡの場合と比較し、出力幅が２倍となる。またアンプ７６は、Ｄ／Ａ変換器７７の出力がグラウンドレベルであれば単なるバッファとして働くため、アンプ７６が出力する電圧範囲も、感度がＡの場合と比較して２倍になる。即ち、補正レンズ１２が移動可能な端から端まで移動すると、アンプ７６の出力値は−６Ｖから６Ｖまで変化することになる。
【００９３】
しかし、Ａ／Ｄ変換器７３の変換可能な入力信号の範囲は変わらないため、図８（ｂ）に示すように、補正レンズ１２の位置によっては、Ａ／Ｄ変換器７３がアンプ７６の出力値をデジタル値に変換できない。例えば、図８（ｂ）において、Ｘホール素子４０の出力値（三角印部分）及びアンプ７６の出力値（菱形印部分）が４Ｖであるとすると、Ａ／Ｄ変換器７３は、この値をデジタル値に変換することは不可能である。
【００９４】
このような場合には、Ａ／Ｄ変換器７３のシフト制御を行う（図８（ｃ））。まず、シフト制御部７５が、デジタル値でシフト量を出力する。シフト制御部７５の出力値はＤ／Ａ変換器７７によりアナログ値に変換され、アンプ７６に入力される。例えば、Ｘホール素子４０が４Ｖを出力しているときに、シフト制御部７５がデジタル値で３Ｖのシフト量を出力すると、Ｄ／Ａ変換器７７はこのシフト量を３Ｖのアナログ値に変換し、その結果、アンプ７６はＸホール素子４０の出力値（４Ｖ）とシフト量（３Ｖ）との差分である１Ｖを出力する。Ａ／Ｄ変換器７３は、この１Ｖのアナログ入力をデジタル出力に変換し、加算器７８に出力する。加算器７８は、Ａ／Ｄ変換器７３の出力である１Ｖのデジタル値と、シフト制御部７５の出力値である３Ｖのデジタル値を加算し、Ｘホール素子４０の出力値である４Ｖを出力する。このようにして、Ｘホール素子４０の出力値がＡ／Ｄ変換器７３の変換可能範囲を超えた場合であっても、Ｘホール素子４０の出力値を算出し、補正レンズ１２の位置を検出することが可能となる。なお、Ｙ方向においても同様の制御を行う。
【００９５】
Ａ／Ｄ変換器７３の変換ビット数は限られているため、アンプ７６の出力値と同じ電圧範囲まで変換可能範囲を広げてしまうと、分解能が下がってしまう。逆に、分解能を維持したまま変換可能範囲を広げるためには、変換ビット数を増やす必要があり、コストアップになってしまう。本発明のシフト制御によれば、ホール素子の感度を上げてもＡ／Ｄ変換器の分解能は変わらないため、結果としてＡ／Ｄ変換器の分解能を上げていることと等価となる。
【００９６】
なお、本実施の形態では、感度制御部７４は、定電流回路７１の定電流量を制御してホール素子の感度を上げているが、アンプ７６の増幅率を制御して感度を上げてもよい。また、感度を２倍に上げているが、感度を上げる場合の倍率は２倍に限定されるものではない。
【００９７】
＜第２の実施の形態＞
第２の実施の形態のデジタルカメラ１は、第１の実施の形態のシフト制御を行う場合に、ホール素子の出力値がＡ／Ｄ変換器７３の変換可能範囲の中心に来るように常にシフト量の変更を行う。
【００９８】
図９は、アンプ７６の出力範囲とＡ／Ｄ変換器７３の変換可能範囲を示した図である。
【００９９】
図８（ａ）の状態において、Ａ／Ｄ変換器７３の出力値は２Ｖである。この状態から感度制御部７４がホール素子の感度を２倍にする場合には、シフト制御部７５は、シフト量を２Ｖの２倍の４Ｖとする。図９（ａ）に示すように、ホール素子の感度を２倍にした場合に−４Ｖのシフト制御を行うと、アンプ７６の出力値は０Ｖとなり、アンプ７６の出力はＡ／Ｄ変換器７３の変換可能範囲の中心となる。このとき、Ａ／Ｄ変換器７３の出力値である０Ｖと、シフト制御部の出力値である４Ｖを加算器７８で加算することにより、Ｘホール素子４０の出力値は４Ｖであることがわかる。また、目標レンズ位置信号である加算器６５の出力値は、感度制御部７４の出力値である２と乗算器６６で乗算される。減算器７０は、この値と加算器７８の出力値の差分を算出し、この差分に応じてＸドライバ７２は補正レンズ１２を移動制御する。
【０１００】
その後、Ｘホール素子４０の出力値が変化し、アンプ７６の出力値が−１Ｖになったとする。図９（ｂ）に示すように、Ａ／Ｄ変換器７３は、このアンプ７６の出力値をデジタルの−１Ｖに変換する。この値とシフト制御部７５の出力値である４Ｖを加算器７８で加算し、Ｘホール素子４０の出力値は３Ｖであることがわかる。加算器７８の出力は減算器７０に入力され、同様に補正レンズ１２が移動制御される。
【０１０１】
ここで、シフト制御部７５は、Ｘホール素子４０の出力値がＡ／Ｄ変換器７３の変換可能範囲の中心に来るように、シフト制御を行う。Ａ／Ｄ変換器７３の出力値は−１Ｖであるため、現在の状態から＋１Ｖのシフト制御を行えばよい。すでに−４Ｖのシフト制御を行っているため、全体として−３Ｖのシフト制御を行うことになる。図９（ｃ）は、全体として−３Ｖのシフト制御を行った状態のアンプ７６の出力範囲とＡ／Ｄ変換器７３の変換可能範囲を示した図である。
【０１０２】
その後、Ｘホール素子４０の出力値が変化し、アンプ７６の出力値が＋０．５Ｖになったとする。図９（ｄ）に示すように、Ａ／Ｄ変換器７３は、このアンプ７６の出力値をデジタルの＋０．５Ｖに変換する。この値とシフト制御部７５の出力値である３Ｖを加算器７８で加算し、Ｘホール素子の出力値は３．５Ｖであることがわかる。加算器７８の出力は減算器７０に入力され、同様に補正レンズ１２が移動制御される。
【０１０３】
さらに、シフト制御部７５は、Ｘホール素子４０の出力値がＡ／Ｄ変換器７３の変換可能範囲の中心になるように、シフト制御を行う。Ａ／Ｄ変換器７３の出力値は＋０．５Ｖであるため、現在の状態から−０．５Ｖのシフト制御を行えばよい。すでに−３Ｖのシフト制御を行っているため、全体として−３．５Ｖのシフト制御を行うことになる。図９（ｅ）は、全体として−３．５Ｖのシフト制御を行った状態のアンプ７６の出力範囲とＡ／Ｄ変換器７３の変換可能範囲を示した図である。
【０１０４】
このように、常にＸホール素子４０の出力値がＡ／Ｄ変換器７３の変換可能範囲の中心に来るようにシフト制御することにより、大きなぶれによりＸホール素子４０の出力値が大きく変化するような場合においても、Ｘホール素子４０の出力がＡ／Ｄ変換器７３の変換可能範囲を超えることがなくなるため、常にＡ／Ｄ変換器７３の変換可能範囲が狭い状態でＡ／Ｄ変換を行うことが可能となる。なお、Ｙ方向においても同様の制御を行うことにより、Ｙ方向についても常にＡ／Ｄ変換器７３の変換可能範囲が狭い状態でＡ／Ｄ変換を行うことが可能となる。
【０１０５】
なお、本発明のシフト制御においては、アンプ７６の入力にオフセットをかけることによりアンプ７６の出力をシフトさせているが、ホール素子の出力にバイアス電圧をかけてホール素子の出力をシフトさせてもよい。
【０１０６】
＜第３の実施の形態＞
次に、第３の実施の形態のデジタルカメラ１の、ホール素子の感度の切り替えについて説明する。第３の実施の形態のデジタルカメラ１は、下記のいずれかに該当する場合において、Ｘホール素子４０及びＹホール素子４１の感度を上げて手ぶれ補正を行う。
【０１０７】
（１）手ぶれ補正オフモードに設定された場合
デジタルカメラ１は、操作部１１２を操作することにより、手ぶれ補正を行わない手ぶれ補正オフモードを設定することが可能である。この手ぶれ補正オフモードにおいては、補正レンズ１２は移動しないように制御される。補正レンズ１２の位置が変化すると、ホール素子はこれを検出し、ドライバを介して補正レンズ１２を元の位置に戻す。したがって、ホール素子の感度が高い方が補正レンズ１２の移動幅が少なくなるため、ホール素子の感度を上げ、精度のよい制御を行った方が好ましい。
【０１０８】
（２）三脚が使用された場合
デジタルカメラ１は、図１０に示すように三脚検出部１４０を備えることにより、デジタルカメラ１が三脚に固定されているか否かを判定することが可能となる。三脚に固定されている場合は、大きなぶれは発生しないと考えられるので、ホール素子の感度を上げ、精度のよい制御を行った方が好ましい。
【０１０９】
（３）ズームレンズが広角側に設定された場合
カメラ本体のぶれの大きさが同じであっても、ズームレンズが広角側に設定されている場合は、画面へのぶれの影響が少ない。したがって、大きなぶれは発生しないと考えられるので、ホール素子の感度を上げ、精度のよい制御を行った方が好ましい。
【０１１０】
（４）合焦動作が終了した場合
合焦動作が終了した後は、ユーザはカメラ本体をしっかり構えて本撮影を行うため大きなぶれは発生しないと考えられるので、ホール素子の感度を上げ、精度のよい制御を行った方が好ましい。
【０１１１】
（５）連写が行われている場合
デジタルカメラ１は、操作部１１２を操作して連写モードを設定することが可能である。連写を行っている間は、ユーザはカメラ本体をしっかり構えて撮影を行っているため大きなぶれは発生しないと考えられるので、ホール素子の感度を上げ、精度のよい制御を行った方が好ましい。
【０１１２】
以上のような条件に該当する場合に、ホール素子の感度を上げることにより、適切な手ぶれ補正が可能となる。
【０１１３】
＜第４の実施の形態＞
次に、第４の実施の形態のデジタルカメラ１の、ホール素子の感度の切り替えについて説明する。第４の実施の形態のデジタルカメラ１は、上記感度アップの条件に該当する場合であっても、下記のいずれかに該当する場合においては、ホール素子の感度を上げずに手ぶれ補正を行う。
【０１１４】
（１）電源が投入された場合
電源投入後は、ユーザが撮影動作に入っていないと考えられるので、ホール素子の感度を上げる必要が無い。したがって、ホール素子の出力幅全体をＡ／Ｄ変換器の変換可能範囲とするホール素子の感度を初期値とし、検出範囲の広い制御を行った方が好ましい。
【０１１５】
（２）ズーム操作が行われている場合、及びズーム操作後の所定時間中の場合
ズーム操作中は、ユーザが画角を決めている最中であり、ぶれが大きいと考えられるので、ホール素子の感度を初期値に戻し、範囲の広い制御を行った方が好ましい。また、ズーム操作終了後においても、ユーザはさらにフレーミング操作を行いぶれが大きいと考えられるので、ズーム操作終了後の所定時間においても、ホール素子の感度を上げずに検出範囲の広い制御を行った方が好ましい。このフレーミング操作を行う所定時間は一般的に１〜２秒と考えられるが、適宜設定すればよい。
【０１１６】
（３）動画撮影モードに設定された場合
デジタルカメラ１は、操作部１１２を操作することにより、動画撮影モードに設定することが可能である。動画撮影においては、常に手ぶれ補正を行う必要があるため、ホール素子の感度を上げずに検出範囲の広い制御を行った方が好ましい。
【０１１７】
（４）パンニング／チルティングが検出された場合
Ｘジャイロセンサ５０及び図示しないＹジャイロセンサの出力値から、ユーザのパンニング操作及びチルティング操作を検出することが可能である。これらのカメラ操作中はぶれが大きいと考えられるので、感度アップの条件に該当する場合であっても、ホール素子の感度を上げずに検出範囲の広い制御を行った方が好ましい。
【０１１８】
（５）合焦動作中の場合
合焦動作中においては、精度のよい制御は不要と考えられるので、感度アップの条件に該当する場合であっても、ホール素子の感度を上げずに検出範囲の広い制御を行った方が好ましい。
【０１１９】
以上のような条件に該当する場合には、感度アップの条件に該当する場合であってもホール素子の感度を上げずに手ぶれ補正制御を行うことで、適切な手ぶれ補正が可能となる。
【０１２０】
本発明の実施の形態においては、ぶれに応じて補正レンズを制御させることにより手ぶれ補正を行っているが、手ぶれ補正の方式はこれに限定されるものではなく、例えば撮像素子の位置を制御して手ぶれ補正を行ったものに適用してもよい。この場合は、撮像素子の位置を制御するフィードバック制御のゲインの制御を行う。その他、屈曲光学系の屈曲角度を制御して手ぶれ補正を行う方式や、撮像レンズ及び撮像素子全体を制御して手ぶれ補正を行う方式についても適用可能である。また、フィルムを用いるアナログカメラの手ぶれ補正においても適用可能である。
【図面の簡単な説明】
【０１２１】
【図１】図１は、本発明が適用されたデジタルカメラ１の電気的構成を示すブロック図である。
【図２】図２は、デジタルカメラ１の光学系を示した図である。
【図３】図３は、レンズ移動機構を示す分解斜視図である。
【図４】図４は、カバーが取り外されている状態のレンズ移動機構の正面図である。
【図５】図５は、レンズ移動機構の一部を示す断面図である。
【図６】図６は、Ｘ方向の手ぶれを抑制するための制御回路の構成を示すブロック図である。
【図７】図７は、レンズの変位量を算出するための各焦点距離におけるメカ係数γについて示した図である。
【図８】図８は、Ｘホール素子４０の出力範囲、アンプ７６の出力範囲、及びＡ／Ｄ変換器７３のＡ／Ｄ変換可能範囲を示した図である。
【図９】図９は、アンプ７６の出力範囲とＡ／Ｄ変換器７３の変換可能範囲を示した図である。
【図１０】図１０は、第３の実施の形態のデジタルカメラ１の一例の電気的構成を示すブロック図である。
【符号の説明】
【０１２２】
１…デジタルカメラ、１０…ズームレンズ、１１…フォーカスレンズ、１２…補正レンズ、１３…ＣＣＤ、１５…レンズ鏡筒、１８…Ｘスライダ、１９…Ｙスライダ、２２…コイル、２５…ヨーク、２６…永久磁石、３３…永久磁石、４０…Ｘホール素子、４１…Ｙホール素子、５０…Ｘジャイロセンサ、７０…減算器、７１…定電流回路、７２…Ｘドライバ、７３…Ａ／Ｄ変換器、７４…感度制御部、７５…シフト制御部、７６…アンプ、７７…Ｄ／Ａ変換器、７８…加算器、１１１…ＣＰＵ、１１２…操作部、１１７…手ぶれ補正制御部、１１８…手ぶれ補正部、１３４…ＡＥ検出回路、１４０…三脚検出部
【図１】
0005296346.tif 000002
【図２】
0005296346.tif 000003
【図３】
0005296346.tif 000004
【図４】
0005296346.tif 000005
【図５】
0005296346.tif 000006
【図６】
0005296346.tif 000007
【図７】
0005296346.tif 000008
【図８】
0005296346.tif 000009
【図９】
0005296346.tif 000010
【図１０】
0005296346.tif 000011